(57)【特許請求の範囲】
【請求項１】
長手方向に少なくとも３つの貫通孔を有し、針体の断面における貫通孔の１つが針体の略中央に位置し、かつ他の貫通孔より孔径が大であり、組織サンプルの採取用孔であり、前記針体の略中央に位置された貫通孔の周囲に少なくとも２つの貫通孔を設け、この貫通孔の１つは針体の先端部の前端側に配置され切断孔用として用いられ、他の１つは前記針体の先端部の前端側に配置された貫通孔よりも先端部の後端側の位置に配置されてなり、かつ酸化ジルコニウムに、酸化イットリウム、酸化アルミニウム、酸化セリウム、酸化ハフニウムのうち少なくとも１種が添加されてなる部分安定化ジルコニアであるセラミックで構成された生体用針体。
【請求項２】
生体用針体が生検針であることを特徴とする請求項１に記載の生体用針体。
【発明の詳細な説明】
【技術分野】
【０００１】
本発明は診断・治療などに用いられる生体用針体に関するもので、さらに詳しくは生体組織を損傷しない生検針あるいは治療針に関するものである。
【背景技術】
【０００２】
疾病の診断や治療などに用いられる生検針あるいは治療針としては、人体に使用するためできるだけ生体組織を損傷しないようにすることが求められている。特に生検針は、生体組織のサンプルを採取するための道具として用いられるもので、疾病の正確な情報を得るために身体内部の内臓器官から組織サンプルを損傷なく採取し、検査することが好ましいのである。ところで、従来生検針や治療針にはその材質として不錆性、弾性、耐張力性に優れかつ鋭利であることから、ステンレスなどの金属が主に用いられてきた。ところが、金属材を用いた場合、使用済針体の廃棄処理の問題や、金属自体が導電性や磁性を有するため、生体に触れると負傷電流が発生し、接触した細胞の大部分は損傷してしまって、疾患の正確な情報を得ることが困難となるのである。このため、針体の材質として金属である非鉄材料から形成された中空細管の周囲を超硬、非電導性、非磁性物質によって被覆された針体が知られている（特許文献１参照）。前記構造とすることにより、疾患部の組織サンプルは、導電性や磁性のない被覆された物質と接触しつつ切断、採取して取り出されるため、負傷電流が発生することなく組織サンプルの損傷を防ぎ、結果として疾患の正確な情報を得ることが可能となるのである。
【特許文献１】特開２００２−８５４１３号公報
【発明の開示】
【発明が解決しようとする課題】
【０００３】
しかしながら、生体用針体として非鉄材料の表面に非導電性、非磁性物質を被覆させた場合、貫通孔つまり中空部分内の皮膜はかなり薄くなるため、経時変化によるはがれやひび割れなどの皮膜破壊が起こり易く、また針体のわずかなゆがみによるはがれも生じ易いことから、異質なものの接合という構造に伴う変化は避けられ得ず、結果として組織サンプルと非鉄材料とが接触してしまうという問題があり、また非鉄材料を使用しているため廃棄処理の困難が残ってしまう。
【課題を解決するための手段】
【０００４】
本発明は、長手方向に少なくとも３つの貫通孔を有し、針体の断面における貫通孔の１つが針体の略中央に位置し、かつ他の貫通孔より孔径が大であり、組織サンプルの採取用孔であり、前記針体の略中央に位置された貫通孔の周囲に少なくとも２つの貫通孔を設け、この貫通孔の１つは針体の先端部の前端側に配置され切断孔用として用いられ、他の１つは前記針体の先端部の前端側に配置された貫通孔よりも先端部の後端側の位置に配置されてなり、かつ酸化ジルコニウムに、酸化イットリウム、酸化アルミニウム、酸化セリウム、酸化ハフニウムのうち少なくとも１種が添加されてなる部分安定化ジルコニアであるセラミックで構成されたことを第１の要旨とする。
【０００５】
また、生体用針体が生検針であることを第２の要旨とする。
【発明の効果】
【０００６】
本発明の生体用針体は、全体がセラミックから構成され、かつ複数の貫通孔を有しているので、組織サンプルの採取などに関しても負傷電流が生じないため損傷のないサンプル採取が可能となり、精密で正確な情報が得られると同時に、同一患者による繰り返しの使用にも十分に耐え得る安定した性能を有する。さらに、金属と比べて使用後の廃棄処理が容易であり、二次感染を防止できるなどの利点を有する。
【発明を実施するための最良の形態】
【０００７】
本発明の生体用針体は、組織の損傷を防ぎつつ、疾病の正確な情報をもたらすという目的と同時に治療を施す目的を実現した。次に、本発明の生体用針体を図面に沿って説明する。
【実施例１】
【０００８】
図１は、本発明の生体用針体１を示す正面図で、図２は図１のＡ−Ａ線を示す拡大断面図、図３は図１のＢ−Ｂ線を示す断面図である。なお、図面の左側を前方、右側を後方とする。生体用針体１は全体がセラミックで構成され、その先端部１Ａは鋭利にカットされ、また長手方向に貫通孔１Ｂ、１Ｃ、１Ｄが設けられている。各貫通孔の位置関係は、図２に示すように生体用針体1の略中央に最も孔径の大きい貫通孔１Ｂを設け、貫通孔１Ｂの周囲に貫通孔１Ｂよりも孔径の小さい貫通孔１Ｃ、１Ｄがそれぞれ設けられ、さらに貫通孔１Ｃと貫通孔１Ｄとは生体用針体１の中心軸からみて略左右対称となる位置に配置されている。したがって、鋭利にカットされた先端部１Ａにおいては貫通孔１Ｂをはさんで貫通孔１Ｃは先端部１Ａの前端側に、また貫通孔１Ｄは先端部１Ａの後端側に位置している。
【０００９】
貫通孔の役割は、中心孔である貫通孔１Ｂが組織サンプルの採取用孔として用いられ、貫通孔１Ｃは切断用孔、貫通孔１Ｄは治療用孔として用いる。切断用孔である貫通孔１Ｃは、採取用孔に取り込むための組織サンプルの切断を担うもので、切断のための熱線、レーザー光や液体、気体などを注入するものである。また治療用孔である貫通孔１Ｄは、組織サンプルを切断したあとの細胞の表面に菌などが広がらないための消毒液を注入するものである。生体用針体１では、鋭利な先端面１Ａにおいてその前端側に切断用孔である貫通孔１Ｃが配置されているため、中央の採取用孔である貫通孔１Ｂに組織サンプルを取り込んだあとに切断するので十分な組織サンプルが採取でき、また後端側に治療用孔である貫通孔１Ｄが位置しているため、切断後ほぼ同時に１回の作業で消毒液の注入もでき、さらに貫通孔１Ｄが切断面全体を見渡す位置にあるため、注入を患部にスムーズに行うことができる。ここで生体用針体1の略中央部に貫通孔１Ｂを設けることで、孔径を大きくとることが可能となるため、組織サンプルの取り出しがスムーズに行われ易いという特徴も有する。
【実施例２】
【００１０】
図４は、本発明の生体用針体３を示す正面図であり、図５は図４のＥ−Ｅ線を示す拡大断面図である。生体用針体３は全体がセラミックで構成され、その先端部３Ａは鋭利にカットされ、また長手方向に貫通孔３Ｂ、３Ｃ、３Ｄが設けられている。各貫通孔の位置関係は、図５に示すように生体用針体３の略中央に最も孔径の大きい貫通孔３Ｂを設け、この貫通孔３Ｂの周囲に貫通孔３Ｂよりも孔径の小さい貫通孔３Ｃ、３Ｄが形成されている。貫通孔３Ｃは貫通孔３Ｂからみて右の位置に配置され、貫通孔３Ｄは貫通孔３Ｂの上側に配置されており、貫通孔３Ｃ、３Ｄは生体用針体３の中心軸からみて略直角の位置に配置されている。したがって先端部３Ａにおいては、貫通孔３Ｂをはさんで貫通孔３Ｃは先端部３Ａの前端側に、また貫通孔３Ｄは先端部３Ａの上側に位置することになる。貫通孔の役割は、貫通孔３Ｂが組織サンプルの採取用孔、貫通孔３Ｃが切断用孔、貫通孔３Ｄが治療用孔である。この構成により、切断部と消毒液の注入部とが近くなり、組織サンプルの切断、採取と同時により完全な治療が可能となるのである。
【実施例３】
【００１１】
図６は、本発明の生体用針体５を示す正面図である。生体用針体５は全体がセラミックで構成され、その先端部５Ａは鋭利にカットされ、また長手方向に４つの貫通孔５Ｂ、５Ｃ、５Ｄ、５Ｅが設けられている。各貫通孔の位置関係は、実施例１と同様に最も孔径の大きい貫通孔５Ｂを略中央に設け、その周囲にそれぞれ生体用針体５の中心軸からみて略直角間隔で、貫通孔５Ｂよりも孔径の小さい３つの貫通孔５Ｃ、５Ｄ、５Ｅが配置されている。したがって先端部５Ａにおいては、貫通孔５Ｂをはさんで貫通孔５Ｃは先端部５Ａの前端側に、貫通孔５Ｄは後端側に位置し、また貫通孔５Ｅは先端部５Ａの上側に位置する。貫通孔の役割は、貫通孔５Ｂが組織サンプルの採取用孔、貫通孔５Ｃが切断用孔、貫通孔５Ｄが治療用孔である。貫通孔５Ｅは、たとえば患部の細胞中に投薬して直接細胞を殺すための投薬用孔として用いられる。投薬用孔である貫通孔５Ｅを設けることで、細胞の採取、検査ばかりでなく、同時に内部の細胞自体にも致命的な打撃を与えるということで、実施例１の効果と合わせて二重の効果を奏するものである。
【実施例４】
【００１２】
図７は、本発明の生体用針体６を示す正面図である。生体用針体６は全体がセラミックで構成され、その先端部６Ａは鋭利にカットされ、また長手方向に５つの貫通孔６Ｂ、６Ｃ、６Ｄ、６Ｅ、６Ｆが設けられている。各貫通孔の位置関係は、実施例１と同様に最も孔径の大きい貫通孔６Ｂを略中央に設け、その周囲にそれぞれ生体用針体６の中心軸からみて略直角間隔で、貫通孔６Ｂよりも孔径の小さい４つの貫通孔６Ｃ、６Ｄ、６Ｅ、６Ｆが配置されている。したがって先端部６Ａにおいては、貫通孔６Ｂをはさんで貫通孔６Ｃは先端部６Ａの前端側に、貫通孔６Ｄは後端側に位置し、また貫通孔６Ｂをはさんでその両側に貫通孔６Ｅと貫通孔６Ｆとが、先端部６Ａの前端からみて略同位置に並んでいることになる。貫通孔の役割は、貫通孔６Ｂが組織サンプルの採取用孔、貫通孔６Ｃが切断用孔、貫通孔６Ｄが治療用孔、貫通孔６Ｅは、たとえば患部の細胞中に投薬して直接細胞を殺すための投薬用孔として用いられる。さらに貫通孔６Ｆは、ファイバスコープの挿入により細胞やその切断状況などの内部観察が可能となる観察用孔として用いられる。観察用孔である貫通孔６Ｆを設けることで、細胞の採取、検査ばかりでなく、同時に患部の細胞自体にも致命的な打撃を与えると同時に、さらに体内の患部付近を観察できるということで、より一層確実で正確な情報が得られることになる。
【００１３】
本発明の生体用針体の材質としては、上記したようにセラミックが用いられ、例えば金属の酸化物、珪化物、窒化物、弗化物、硼化物など種々挙げられる。いずれを用いてもよいが、一般的には酸化物が好ましく、特には酸化ジルコニウムが好適であるが強度的には十分ではないため、さらに高い強度を有し、じん性に優れた酸化ジルコニウムとして、酸化イットリウム、酸化アルミニウム、酸化セリウム、酸化ハフニウムの少なくとも１種以上を添加した部分安定化ジルコニアが最も好ましい。なお生体用針体の貫通孔の断面形状は、円形、楕円形、三角形、四角形など任意であるが、好ましくは円形が好適である。また生体用針体の製法としては、押出成形や射出成形、プレス成形などによりセラミックの粉末を細管上に成形し、焼結することにより作製することができる。
【００１４】
本発明の生体用針体は、生体医療関係におけるいかなる条件下においても応用でき、例えば通常の生検針や治療針としての使用以外に、ＭＲＩやＣＴ診断、超音波診断下においても、非導電性および非磁性の材料を用いているため、ＭＲＩやＣＴ、超音波を撮りながら正確な位置確認ができ、組織サンプルの採取や治療、殺菌ができるという特徴も有する。
【産業上の利用可能性】
【００１５】
生体組織を損傷させず生きたまま確実かつ安定した採取ができるので、患部の正確な診断が可能となり、医療分野の要請に対して十分適用できる。
【図面の簡単な説明】
【００１６】
【図１】本発明の生体用針体を示す正面図である。（実施例１）
【図２】図１のＡ−Ａ線を示す拡大断面図である。（実施例１）
【図３】図１のＢ−Ｂ線を示す断面図である。（実施例１）
【図４】本発明の他の生体用針体を示す正面図である。（実施例２）
【図５】図４のＥ−Ｅ線を示す拡大断面図である。（実施例２）
【図６】本発明のさらに他の生体用針体を示す正面図である。（実施例３）
【図７】本発明のさらに他の生体用針体を示す正面図である。（実施例４）
【符号の説明】
【００１７】
１  生体用針体
１Ａ  生体用針体１の先端部
１Ｂ  生体用針体１の貫通孔
１Ｃ  生体用針体１の貫通孔
１Ｄ  生体用針体１の貫通孔
３  生体用針体
３Ａ  生体用針体３の先端部
３Ｂ  生体用針体３の貫通孔
３Ｃ  生体用針体３の貫通孔
３Ｄ  生体用針体３の貫通孔
５  生体用針体
５Ａ  生体用針体５の先端部
５Ｂ  生体用針体５の貫通孔
５Ｃ  生体用針体５の貫通孔
５Ｄ  生体用針体５の貫通孔
５Ｅ  生体用針体５の貫通孔
６  生体用針体
６Ａ  生体用針体６の先端部
６Ｂ  生体用針体６の貫通孔
６Ｃ  生体用針体６の貫通孔
６Ｄ  生体用針体６の貫通孔
６Ｅ  生体用針体６の貫通孔
６Ｆ  生体用針体６の貫通孔
【図１】
0004992030.tif 000002
【図２】
0004992030.tif 000003
【図３】
0004992030.tif 000004
【図４】
0004992030.tif 000005
【図５】
0004992030.tif 000006
【図６】
0004992030.tif 000007
【図７】
0004992030.tif 000008